(57)【要約】【課題】最上部に位置する冷凍室の食品支持部材奥の食品等に対して出し入れが無理なく容易に行なえるようにする。【解決手段】断熱材３で左右に仕切られた温度帯の異なる上下に長い一方の冷蔵ゾーン５に対して開口幅ｄが狭く、奥行きの長い縦長に作られた冷凍ゾーン７の最上部に位置する庫内前面にヒンジを支点として開閉可能な開閉扉２７を、前記庫内に複数の食品支持部材２５をそれぞれ設け、庫内最上位に位置する収納位置の食品支持部材２５を、スライド装置３７によって庫内前方へ突出した突出位置として四方が開放された庫外で食品等の出し入れを行なうようにする。【選択図】図１
2008039295.tif 000002
【特許請求の範囲】
【請求項１】
断熱材で左右に仕切られた温度帯の異なる上下に長い一方の冷蔵ゾーンとその冷蔵ゾーンより開口幅が狭く、奥行きの長い縦長に作られた他方の冷凍ゾーンとを有し、
前記冷凍ゾーンの最上部に位置する冷凍室の庫内前面にヒンジを支点として開閉する開閉扉を設ける一方、前記庫内に複数の食品支持部材を設け、前記庫内最上位の食品支持部材をスライド装置によって庫内前方へ突出した突出位置と庫内に収まる収納位置とにスライド自在に支持したことを特徴とする冷凍冷蔵庫。
【請求項２】
断熱材で左右に仕切られた温度帯の異なる上下に長い一方の冷蔵ゾーンとその冷蔵ゾーンより開口幅が狭く、奥行きの長い縦長に作られた他方の冷凍ゾーンとを有し、
前記冷凍ゾーンの最上部に位置する冷凍室の庫内前面にヒンジを支点として開閉する開閉扉を設ける一方、前記庫内に複数の食品支持部材を設け、前記庫内に位置する全食品支持部材をスライド装置によって庫内前方へ突出した突出位置と庫内に収まる収納位置とにスライド自在に支持したことを特徴とする冷凍冷蔵庫。
【請求項３】
前記食品支持部材は、上方が開放された前後、左右の四箇所の立上り壁の内、前方と右側の２箇所の立上り壁を後方及び開閉扉のヒンジ側となる左側の２箇所の立上り壁より低い支持容器となっていることを特徴とする請求項１又は２記載の冷凍冷蔵庫。
【請求項４】
前記スライド装置は、前記食品支持部材を庫内の収納位置へ常時引き込む引き込み手段を備えていることを特徴とする請求項１、２、３のいずれかに記載の冷凍冷蔵庫。
【発明の詳細な説明】
【技術分野】
【０００１】
本発明は、左右に仕切られた温度帯の異なる上下に長い冷蔵ゾーンと冷凍ゾーンとを備えた冷凍冷蔵庫に関する。
【背景技術】
【０００２】
一般に冷蔵庫には小型の１ドアタイプのものから大型の６ドアタイプのものまである。
【０００３】
特に、背の高い大型の６ドアタイプのものは、例えば、図９に示すように断熱材１０１で左右に仕切られた温度帯の異なる上下に長い一方の冷蔵ゾーン１０３と他方の冷凍ゾーン１０５とを有する構造を採用している。
【０００４】
冷蔵ゾーン１０３には上から順に例えば冷蔵庫１０７、野菜室１０９、温度切替室１１１が設けられている。冷凍ゾーン１０５には例えば、上から順に第１の冷凍室１１３、製氷室１１５、第２の冷凍室１１７が設けられた構造となっている。
【発明の開示】
【発明が解決しようとする課題】
【０００５】
冷蔵ゾーン１０３及び冷凍ゾーン１０５を備えた冷凍冷蔵庫にあっては、使用頻度の高い冷蔵ゾーン１０３の幅を大きく確保するためにもう一方の冷凍ゾーン１０５は、冷蔵ゾーン１０３に対して庫内の幅、開口幅がどうしても狭くなる。加えて、冷凍ゾーン１０５の最上部に位置する冷凍室１１３には複数の食品棚１１９が設けられるようになるために、特に、最上位の食品棚１１９は図１０に示す如く背の低い人や子供の場合には目の高さより高い位置となるために、背のびして手を伸ばしても開口幅が狭いこともあって棚の奥までは手が届きにくく、食品等の出し入れがしずらく使い勝手の面で望ましくなかった。
【０００６】
そこで、本発明にあっては、最上部に位置する冷凍室に対して食品等の出し入れが容易で、使い勝手のよい冷凍冷蔵庫を提供することを目的としている。
【課題を解決するための手段】
【０００７】
前記目的を達成するために、本発明にあっては、第１に、断熱材で左右に仕切られた温度帯の異なる上下に長い一方の冷蔵ゾーンとその冷蔵ゾーンより開口幅が狭く、奥行きの長い縦長に作られた他方の冷凍ゾーンとを有し、前記冷凍ゾーンの最上部に位置する冷凍室の庫内前面にヒンジを支点として開閉する開閉扉を設ける一方、前記庫内に複数の食品支持部材を設け、前記庫内最上位の食品支持部材をスライド装置によって庫内前方へ突出した突出位置と庫内に収まる収納位置とにスライド自在に支持したことを特徴とする。
【０００８】
第２に、断熱材で左右に仕切られた温度帯の異なる上下に長い一方の冷蔵ゾーンとその冷蔵ゾーンより開口幅が狭く、奥行きの長い縦長に作られた他方の冷凍ゾーンとを有し、前記冷凍ゾーンの最上部に位置する冷凍室の庫内前面にヒンジを支点として開閉する開閉扉を設ける一方、前記庫内に複数の食品支持部材を設け、前記庫内に位置する全食品支持部材をスライド装置によって庫内前方へ突出した突出位置と庫内に収まる収納位置とにスライド自在に支持したことを特徴とする。
【発明の効果】
【０００９】
本発明によれば、最上部に位置する冷凍室内の食品支持部材を始めとして各食品支持部材を庫内前方へ突出させた突出位置とすることで、食品支持部材は前方及び両側方が大きく開放されるため、手を伸ばすことで食品支持部材の奥まで手が届くようになると共に、食品等の出し入れを容易に行なうことができる。
【発明を実施するための最良の形態】
【００１０】
本発明の第１にあっては、前記食品支持部材を、上方が開放された前後、左右の四箇所の立上り壁の内、前方と右側の２箇所の立上り壁を後方と開閉扉のヒンジ側となる左側の２箇所の立上り壁より低い支持容器とすることで、開閉扉の反対側となる開放空間の大きい側から食品等の出し入れが容易に行なえるようにする。
【００１１】
第２にあっては、前記スライド装置に、前記食品支持部材を庫内の収納位置へ常時引き込む引き込み手段を備えることで、食品支持部材が収納途中で停止することなく確実に収納位置に復帰し、開閉扉を閉めた時に食品支持部材と干渉するのを防ぐようにする。
【実施例】
【００１２】
以下、図１乃至図８の図面を参照しながら本発明の実施形態について具体的に説明する。
【００１３】
図３は本発明にかかる６ドアタイプの冷凍冷蔵庫全体の概要正面図を示している。
【００１４】
冷凍冷蔵庫１は、断熱材３によって左右に仕切られた温度帯の異なる上下に長い右側の冷蔵ゾーン５と左側の冷凍ゾーン７とを有している。冷蔵ゾーン５には上から順に冷蔵室９、野菜室１１、温度切替室１３がそれぞれ設けられ、冷蔵室９はヒンジ式の開閉扉１５を有し、その開閉扉１５を開けることで食品等の出し入れが可能となっている。野菜室１１と温度切替室１３は図４に示す如く引き出し式の開閉扉１７、１８を有し、その開閉扉１７、１８を引き出すことで収納容器（図示していない）も一緒に引き出され野菜、食品等の出し入れが可能となっている。
【００１５】
冷凍ゾーン７は、冷蔵庫全体の横幅が予め設定されているため、使用頻度の高い冷蔵ゾーン５の開口幅Ｄを広くすることで冷蔵ゾーン５に比べて開口幅ｄが狭く奥行きの長い縦長の形状となっている。
【００１６】
この場合、奥行きが長い、という意味は冷蔵ゾーン５の冷蔵室９の奥行きより長くなる、というものではなく、奥行き寸法はいずれも同じであるが、開口幅の条件によって冷凍ゾーン７の開口幅ｄに対する奥行きの寸法比が冷蔵ゾーン５の開口幅Ｄに対する奥行き寸法の比よりも大きくなるということである。
【００１７】
冷凍ゾーン７には、上から順に冷凍室１９、製氷室２１、第２の冷凍室２３がそれぞれ設けられている。
【００１８】
最上部に位置する冷凍室１９は複数の食品支持部材２５が引き出し自在に配置される一方、庫内前面には左側のヒンジを支点として左方（図３左側）へ開くヒンジタイプの開閉扉２７が設けられている。
【００１９】
食品支持部材２５は、食品棚タイプあるいは支持容器タイプいずれでもよいが、この実施の形態にあっては安定した収納が可能となる支持容器タイプとなっていて上下に三段に設けられている。
【００２０】
具体的に説明すると、図５に示すように食品支持部材２５は上方が開放された前後、左右の立上り壁２５ａ，２５ｂ，２５ｃ，２５ｄの内、正面からみて前方と右側の２箇所の立上り壁２５ａ，２５ｄを、後方及び開閉扉２７のヒンジ側となる左側の２箇所の立上り壁２５ｂ，２５ｃより低い形状の支持容器に作られている。
【００２１】
支持容器に作られた食品支持部材２５は、左右一対のスライド装置２９によって庫内前方へ突出した突出位置（図１実線）と庫内に納まる収納位置（図１鎖線）とに前後にスライド自在に支持されている。
【００２２】
スライド装置２９は、左右とも同一構造のため、ここでは一方についてのみ説明する。
【００２３】
スライド装置２９は、図５、図６に示す如く固定レール３１に対して対向し合う第１可動レール３３と、固定レール３１と第１可動レール３３の間に配置された第２可動レール３５とを有し、固定レール３１は庫内壁面３７に固定支持されている。第２可動レール３５は固定レール３１に対してストッパ（図示していない）に突当るまで突出位置（図１実線）へ向けてスライド移動が可能となっている。第１可動レール３３は第２可動レール３５と一緒にスライド移動自在に組付けられ、第２可動レール３５がストッパ（図示していない）によって停止すると、さらに、第２可動レール３５に沿ってスライド移動することで大きな伸長ストロークが確保されるようになっていて食品支持部材２５が庫内前方へ突出した突出位置（図１実線）が確保されるようになっている。
【００２４】
第１可動レール３３には、引き込み手段３７と取付けブラケット３９を介して容器ブラケット４１が設けられ、この容器ブラケット４１の支持棚部４１ａに支持容器に作られた食品支持部材２５の底部が着脱自在に支持セットされた構造となっている。
【００２５】
引き込み手段３７は、図６、図７に示すようにガイド部材４３とカムガイド４５とからなり、ガイド部材４３は固定レール３１に取付けられている。
【００２６】
ガイド部材４３には待機溝４７ａを備えた横長のガイド溝４７とガイド溝４７に沿ってスライド可能なガイドピン４９が設けられている。
【００２７】
ガイドピン４９は、矢印の如く後方（収納位置）へ向けてばね（図示していない）により常時付勢されていて、食品支持部材２５が収納位置（図１鎖線）にある時、ガイド溝４７の溝端部４７ｂに位置している。食品支持部材が突出位置（図１実線）にある時、ガイド溝４７の待機溝４７ａに臨む（後述する）ようになっている。
【００２８】
カムガイド４５は、前記取付けブラケット３９に取付けられていて前記ガイドピン４９と係脱可能となっている。
【００２９】
カムガイド４５には、食品支持部材２５が収納位置（図１鎖線）へ近づくとガイドピン４９と係合し待機溝４７ａにあるガイドピン４９を上方へ押し上げガイド溝４７へ戻す作用と、収納位置から突出位置（図１実線）への移動途中において、ガイドピン４９をガイド溝４７から待機溝４７ａへ押し下げるカム面（図示していない）を有している。
【００３０】
したがって、食品支持部材２５が収納位置（図１鎖線）への移動途中において、ガイドピン４９、ガイド溝４７、カムガイド４５の三者の関係によって途中で停止することなく収納位置まで引き込み作用が働くようになっている。
【００３１】
一方、目の高さより低い位置となる冷凍ゾーン７の製氷室２１及び第２の冷凍室２３は左側のヒンジ（図示していない）を支点として開閉扉５１、５３をそれぞれ開くことで氷や冷凍食品等の出し入れが容易に行なえるようになっている。
【００３２】
このように構成された冷凍冷蔵庫１によれば、特に、開口幅ｄの狭い最上部の冷凍室１９であっても食品支持部材２５を収納位置（図１鎖線）から庫内前方へ突出した突出位置（図１実線）へ引き出すことで図８に示す如く庫内の外で四方が開放空間となるため、背の低い人であっても開閉扉２７に邪魔されることなく無理なく奥まで手が届くようになり容易に食品等の出し入れが行なえるようになる。
【００３３】
また、食品等の出し入れ後、引き出した食品支持部材２５を収納位置へ向かって途中まで押してあげればガイドピン４９はカムガイド４５と係合し合い引き込み手段３７によって収納位置へ確実に引き込むことができる。したがって、開閉扉２７を閉めた時に途中位置にとまった食品支持部材２５と干渉し合うという問題がなくなる。
【図面の簡単な説明】
【００３４】
【図１】本発明にかかる冷凍冷蔵庫の冷凍ゾーン最上部の冷凍室を示した一部分の概要正面図。
【図２】冷凍室の最上位の食品支持部材を庫内前方の突出位置とした概要切断側面図。
【図３】本発明にかかる冷凍冷蔵庫の冷蔵ゾーンと冷凍ゾーンを示した開閉扉が開いた状態の概要切断正面図。
【図４】本発明にかかる開閉扉が閉まった状態の冷凍冷蔵庫全体の概要正面図。
【図５】スライド装置から食品支持部材を取り外した状態の概要説明図。
【図６】図２Ａ部の拡大説明図。
【図７】スライド装置の引き込み手段を示した概要分解説明図。
【図８】食品支持部材を突出位置とした時に手が奥まで届くようになる状態を示した概要説明図。
【図９】冷蔵ゾーン及び冷凍ゾーンを備えた一般的な冷凍冷蔵庫を示した概要切断正面図。
【図１０】開口幅が狭く奥行きのある最上位の支持棚奥まで手が届きにくくなる状態を示した概要説明図。
【符号の説明】
【００３５】
３    断熱部材
５    冷蔵ゾーン
７    冷凍ゾーン
１９    冷凍室
２５    食品支持部材
２５ａ、２５ｂ、２５ｃ、２５ｄ    立上り壁
２７    開閉扉
３７    引き込み手段
ｄ    開口幅
【図１】
2008039295.tif 000003
【図２】
2008039295.tif 000004
【図３】
2008039295.tif 000005
【図４】
2008039295.tif 000006
【図５】
2008039295.tif 000007
【図６】
2008039295.tif 000008
【図７】
2008039295.tif 000009
【図８】
2008039295.tif 000010
【図９】
2008039295.tif 000011
【図１０】
2008039295.tif 000012